(57)【特許請求の範囲】
【請求項１】
レシプロ動作をする複数のエアミックス塗装ガンを用いて異なる複数の液状塗料をそれぞれ斑点状に塗装して多色模様を仕上げる多色模様塗装法であって、該エアミックス塗装ガンのノズル先端部の内径が１〜４ｍｍφで、塗料圧力が０．５〜１０ｋｇ／ｃｍ2、エアミックスエア圧力が０．１〜４ｋｇ／ｃｍ2、エア流出量が４０〜１００リットル／分、ガン先端と被塗面との距離が３００〜１５００ｍｍである条件下で、移動している被塗面に斑点状に塗装をする多色模様塗装法において、
該複数のエアミックス塗装ガンによって形成されるスプレーパターンが、被塗面に当たる前に交差せしめられ、
該塗装ガンのノズルの先端から交差する場所までの距離が、２００〜４００ｍｍであり、
２つの塗装ガンが使用され、２つの塗装ガンのスプレーパターンの中心軸が、１０〜６０°の交差角度で交差する
ことを特徴とする多色模様塗装法。
【請求項２】
レシプロ動作をする複数のエアミックス塗装ガンを用いて異なる複数の液状塗料をそれぞれ斑点状に塗装して多色模様を仕上げる多色模様塗装法であって、該エアミックス塗装ガンのノズル先端部の内径が１〜４ｍｍφで、塗料圧力が０．５〜１０ｋｇ／ｃｍ2、エアミックスエア圧力が０．１〜４ｋｇ／ｃｍ2、エア流出量が４０〜１００リットル／分、ガン先端と被塗面との距離が３００〜１５００ｍｍである条件下で、移動している被塗面に斑点状に塗装をする多色模様塗装法において、
該複数のエアミックス塗装ガンによって形成されるスプレーパターンが、被塗面に当たる前に交差せしめられ、
該塗装ガンのノズルの先端から交差する場所までの距離が、２００〜４００ｍｍであり、
３つの塗装ガンが使用され、両側の２つの塗装ガンのスプレーパターンの中心軸が、１０〜６０°の交差角度で交差する
ことを特徴とする多色模様塗装法。
【発明の詳細な説明】
【０００１】
【産業上の利用分野】
本発明は、斑点状に塗装をする多色模様塗装法に関し、更に詳細には、レシプロ動作をする複数のエアミックス塗装ガンを用いて異なる複数の液状塗料をそれぞれ斑点状に塗装して多色模様を仕上げる多色模様塗装法に関する。
【０００２】
【従来技術及びその課題】
本件発明者らは、色が異なる複数の液状塗料をそれぞれ斑点状に塗装して多色模様に仕上げる方法であって、大粒乃至小粒の斑点が容易に形成でき、特に工場で大量生産するプレコート建材の多色模様仕上げに好適である方法として、複数のエアミックス塗装ガンを用いて異なる複数の液状塗料をそれぞれ斑点状に塗装して多色模様を仕上げる方法であって、該エアミックス塗装ガンのノズル先端部の内径が１〜４ｍｍφで、塗料圧力が０．５〜１０ｋｇ／ｃｍ2、エアミックスエア圧力が０．１〜４ｋｇ／ｃｍ2、エア流出量が４０〜１００リットル／分、ガン先端と被塗面との距離が３００〜１５００ｍｍである条件下で斑点状に塗装をすることを特徴とする多色模様塗装法を提案した（特開平９−３１４０４２号（特願平８−１３８４６６号））。
【０００３】
上記多色模様塗装法は、例えば、複数のエアミックス塗装ガンを一体に設置し、複数のエアミックスを被塗面に対してレシプロ運動させることによって、実行される
この方法を実施する装置の例を、図１及び２を参照して説明する。図１はこの装置の正面図であり、図２はこの装置の平面図である。
【０００４】
この装置は、例えば、図示したとおり、第１塗装ガン１０及び第２塗装ガン１２を具備する。これらの塗装ガンは、上記のとおりの条件の下で塗料を噴霧できる。これらの塗装ガンは、例えば、図１の左右方向（即ちレシプロ方向１４）に一緒にレシプロ動作をすることができるように設置されている。これらの塗装ガンは、塗装作業時は常に塗料を噴霧し、あるいは、これらの塗装ガンが、被塗面上に位置したときに塗料を噴霧する。第１塗装ガン１０が塗料Ａを噴霧し、第２塗装ガン１２が塗料Ｂを噴霧する。即ち、これらの塗装ガンはそれぞれ異なった塗料を噴霧する。
【０００５】
被塗面１６は、ベルトコンベア１８上に置かれ、ベルトコンベア１８によって、水平面上を図１の手前側から向こう側へ、即ち、図２の下側から上側に一定速度でコンベアの方向２０に移動せしめられる。
【０００６】
塗装作業時には、例えば、２つの塗装ガンが常に塗料を噴霧し、被塗面１６がベルトコンベア１８によってコンベアの方向２０に一定方向に移動せしめられる。これによって、被塗面１６が、２つの塗装ガンによって塗装される。
【０００７】
この方法は、所期の目的を達成することができるのであるが、塗装むらが生じるという解決すべき問題点があることが明らかになった。
【０００８】
本件発明者の研究によると、塗装むらが生じる理由は下記のとおりである。
【０００９】
塗装作業時には、２つの塗装ガンはレシプロ動作をし、被塗面１６はベルトコンベア１８によって一定速度で移動せしめられるので、２つの塗装ガン１０及び１２は、被塗面１６に対して、図２に矢印２２で示したとおりのジグザグ運動をする。図２において、２つの塗装ガンが、被塗面１６に対して左から右に移動するとき、被塗面１６には、第２塗装ガン１２によって塗料Ｂが噴霧され、その上に第１塗装ガン１０によって塗料Ａが噴霧される。２の塗装ガンが、左から右に移動し、右端に達すると、今度は、右から左に移動することになる。２の塗装ガンが、被塗面１６に対して右から左に移動するとき、被塗面１６には、第１塗装ガン１０によって塗料Ａが噴霧され、その上に第２塗装ガン１２によって塗料Ｂが噴霧される。このように、左から右に移動するときと、右から左に移動するときの、塗装条件が異なるため、塗装むらが生じることになる。
【００１０】
従って、本発明は、上記のとおりの塗装むらを除去することを目的とする。
【００１１】
【課題を解決するための手段】
本発明によると、上記のとおりの目的を達成するために、
レシプロ動作をする複数のエアミックス塗装ガンを用いて異なる複数の液状塗料をそれぞれ斑点状に塗装して多色模様を仕上げる多色模様塗装法であって、該エアミックス塗装ガンのノズル先端部の内径が１〜４ｍｍφで、塗料圧力が０．５〜１０ｋｇ／ｃｍ2、エアミックスエア圧力が０．１〜４ｋｇ／ｃｍ2、エア流出量が４０〜１００リットル／分、ガン先端と被塗面との距離が３００〜１５００ｍｍである条件下で、移動している被塗面に斑点状に塗装をする多色模様塗装法において、
該複数のエアミックス塗装ガンによって形成されるスプレーパターンが、被塗面に当たる前に交差せしめられる
ことを特徴とする多色模様塗装法
が提供される。
【００１２】
【実施例】
次に、図３及び４を参照して、本発明の好適実施例を説明する。
【００１３】
図３及び４に示した装置は、図示したとおり、第１塗装ガン３０及び第２塗装ガン３２を具備する。これらの塗装ガンは、図１及び２を参照して説明した従来の装置の塗装ガンと同様に左右方向（即ちレシプロ方向３４）に一緒にレシプロ動作をすることができるように設置されており、ベルトコンベア３８によって、一定速度でコンベアの方向４０に移動せしめられている被塗面３６を塗装する。
【００１４】
この塗装装置においては、第１塗装ガン３０によって形成されるスプレーパターン４２と、第２塗装ガン３２によって形成されるスプレーパターン４４とが、被塗面に当たる前に、交差するように、第１塗装ガン３０及び第２塗装ガン３２の向きが決められている。
【００１５】
これら２つのスプレーパターン４２及び４４によって、塗装領域５０が形成され、この塗装領域５０は順次移動する。
【００１６】
塗装ガンのノズル先端から２つのスプレーパターン４２、４４の中心軸４６、４８が交差する場所までの距離は、２００〜４００ｍｍであるのが好ましい。この距離が２００ｍｍよりも短いと、他方の塗装ガンのエアの影響を受けて、適切な塗料の噴霧に悪影響を与える恐れがある。この距離が４００ｍｍよりも長いと、微粒化粒子の速度が遅くなり、粒子同士が付着して、適切な塗装ができなくなるという問題が生じる。
【００１７】
第１塗装ガン３０及び第２塗装ガン３２塗装ガンは、レシプロ３４方向を含む同一鉛直面内に位置するのが好ましく、２つのスプレーパターン４２、４４の中心軸４６、４８の交差角度Θは、１０〜６０°であるのが好ましい。交差角度Θが１０°より小さいと、塗装ガンのノズル先端から交差する場所までの距離が長くなり過ぎ、装置を大きくなってしまう。交差角度Θが６０°よりも大きいと、被塗面に塗料が付着し難くくなり、付近を汚すという問題が生じる。
【００１８】
３つ以上の塗装ガンを使用する場合には、両側の塗装ガンにより形成されるスプレーパターンの中心軸の交差角度Θが、１０〜６０°になるように、配置するのが好ましい。
【００１９】
【発明の効果】
上記のとおり複数のエアミックス塗装ガンによって形成されるスプレーパターンが、被塗面に当たる前に交差せしめられるので、レシプロ動作の動作方向に起因する塗装むらを効果的に除去することができる。
【図面の簡単な説明】
【図１】従来の塗装装置の正面図。
【図２】従来の塗装装置の平面図。
【図３】  本発明の方法を実施する塗装装置の一部の正面図。
【図４】  図３の塗装装置の平面図。
【符号の説明】
３０  第１塗装ガン
３２  第２塗装ガン
３４  レシプロ方向
３６  被塗面
３８  ベルトコンベア
【図１】
0003882366.tif 000002
【図２】
0003882366.tif 000003
【図３】
0003882366.tif 000004
【図４】
0003882366.tif 000005